(57)【要約】  【課題】  パチンコ機の戻り球流路から戻り球が溢れることを防止する。  【解決手段】  球払出装置から払い出されたパチンコ球を打球供給皿１８へ流下させる球払出流路３２に、球発射装置２０から発射されたパチンコ球のうち遊技領域に到達できずに逆戻りする戻り球を流下させる戻り球流路２９の排出口４２を設け、その下流側に満杯検出センサ４４を設ける。この構成では、パチンコ球の貯溜量が戻り球流路２９の排出口４２よりも下流側の満杯検出センサ４４の検出位置に到達した時点で球払出装置の払出動作を停止させて、球払出流路３２内に貯溜されたパチンコ球で戻り球流路２９の排出口４２が塞がれることを防止できる。これにより、戻り球が多く発生しても、その戻り球を戻り球流路２９から球払出流路３２に回収して、戻り球流路２９から戻り球が溢れることを防止できる。  【選択図】  図１
2007044120.tif 000002
【特許請求の範囲】
【請求項１】
球払出装置から払い出された遊技球を打球供給皿に受け溜めて該打球供給皿内の遊技球を球発射装置へ供給し、前記球払出装置から払い出された遊技球が所定位置まで貯溜されたことを検出する満杯検出手段を有する遊技機において、
前記球発射装置から遊技領域に向けて発射された遊技球のうち該遊技領域に届かなかった戻り球を流下させる戻り球流路が前記球払出装置から払い出された遊技球を前記打球供給皿へ流下させる球払出流路に接続され、前記球払出流路に設けられた前記戻り球流路の排出口よりも下流側に前記満杯検出手段が配置されていることを特徴とする遊技機。
【発明の詳細な説明】
【技術分野】
【０００１】
本発明は、球払出装置から払い出された遊技球を打球供給皿に受け溜めて該打球供給皿内の遊技球を球発射装置へ供給する遊技機に関するものである。
【背景技術】
【０００２】
一般的なパチンコ機等の遊技機は、賞球払出指令等に応じて球払出装置から払い出された遊技球を打球供給皿に受け溜め、この打球供給皿内の遊技球を球発射装置へ供給して、球発射装置から遊技球を発射して遊技領域へ打ち込むようにしている。
【０００３】
この種の遊技機おいては、特許文献１（特開平１１−９７８８号公報）に記載されているように、打球供給皿の上流部又はその上流側の球払出流路に満杯検出センサを配置し、この満杯検出センサの位置まで遊技球が貯溜されたことを満杯検出センサで検出したときに、球払出装置の払出動作を停止させることで、所定の貯溜量を越えた過剰な遊技球の払い出しを防止するようにしたものがある。
【０００４】
更に、特許文献２（特開平１１−９７７９号公報）に記載されているように、球発射装置から発射された遊技球のうち遊技領域に到達できずに逆戻りしてくる球を打球供給皿側に流下させて打球供給皿に回収するようにしたものがある。
【特許文献１】特開平１１−９７８８号公報（第２頁、第１図等）
【特許文献２】特開平１１−９７７９号公報（第２頁、第２図等）
【発明の開示】
【発明が解決しようとする課題】
【０００５】
上記特許文献１，２の技術を利用して、打球供給皿の上流部又は球払出流路に満杯検出センサを配置すると共に戻り球（ファール球）を打球供給皿側に流下させる遊技機では、戻り球流路の排出口よりも上流側に満杯検出センサを配置した構成となっていた。この構成では、大当り等で球払出装置から多量のパチンコ球が払い出される場合に、遊技球の貯溜量が戻り球流路の排出口よりも上流側の満杯検出センサの検出位置に到達するまで球払出装置の払出動作を許可するため、貯溜された遊技球で戻り球流路の排出口が塞がれてしまうことがあり、この状態で戻り球が多く発生すると、戻り球流路内に戻り球が溜まって戻り球流路の入口側から戻り球が溢れてしまい、球発射装置から遊技領域へ向けて発射される遊技球に対して悪影響を及ぼす可能性が出てくる。
【０００６】
本発明は、このような事情を考慮してなされたものであり、従って本発明の目的は、戻り球流路から戻り球が溢れることを未然に防止することができる遊技機を提供することにある。
【課題を解決するための手段】
【０００７】
上記目的を達成するために、請求項１に係る発明は、球払出装置から払い出された遊技球を打球供給皿に受け溜めて該打球供給皿内の遊技球を球発射装置へ供給し、前記球払出装置から払い出された遊技球が所定位置まで貯溜されたことを検出する満杯検出手段を有する遊技機において、球発射装置から遊技領域に向けて発射された遊技球のうち該遊技領域に届かなかった戻り球を流下させる戻り球流路を、球払出装置から払い出された遊技球を打球供給皿へ流下させる球払出流路に接続し、この球払出流路に設けられた戻り球流路の排出口よりも下流側に満杯検出手段を配置した構成としたものである。
【０００８】
この構成では、大当り等で球払出装置から多量のパチンコ球が払い出される場合に、遊技球の貯溜量が戻り球流路の排出口よりも下流側の満杯検出センサの検出位置に到達したときに球払出装置の払出動作を停止させる制御が可能になるので、貯溜された遊技球で戻り球流路の排出口が塞がれることを防止することができる。これにより、戻り球が多く発生しても、その戻り球を戻り球流路から球払出流路に回収することができ、戻り球流路の入口側から戻り球が溢れることを未然に防止することができる。尚、戻り球流路の排出口と満杯検出センサの位置が非常に近い場合には、遊技球の貯溜量が満杯検出センサの検出位置に到達する直前に、球払出装置から払い出された遊技球で戻り球流路の排出口が塞がれる可能性があるが、球払出装置の払出動作停止中は、仮に、球発射装置から発射された遊技球が全て戻り球になったとしても、遊技球の貯溜量は変化しない（球発射装置から発射されて減少した分が戻り球となって増加するだけである）ため、戻り球流路内に戻り球が溜まることがなく、戻り球流路の入口側から戻り球が溢れることを防止することができる。
【０００９】
ところで、打球供給皿内に遊技球がほどんど無いときには、球払出装置から払い出された遊技球を速やかに流下させて球発射装置に供給する必要があるが、戻り球流路から球払出流路へ流入する戻り球によって、球払出装置から払い出された遊技球の球流れが妨げられて遊技球の球流れが乱れると、それらの遊技球が球発射装置へ流下するまでの時間が長くなって、球発射装置による遊技球の発射が途切れてしまう可能性がある。
【００１０】
そこで、球払出流路のうち戻り球流路の排出口付近に、球払出装置から払い出された遊技球の球流れを妨げないように戻り球の球流れを規制する戻り球規制手段を設けるようにしても良い。このようにすれば、戻り球規制手段によって、球払出装置から払い出された遊技球の球流れを妨げないように戻り球の球流れを規制することができるため、球払出装置から払い出された遊技球を速やかに流下させることができ、打球供給皿内に遊技球がほどんど無いときに、球発射装置による遊技球の発射が途切れることを防止することができる。
【発明を実施するための最良の形態】
【００１１】
以下、本発明の一実施例を図面に基づいて説明する。
まず、図３に基づいてパチンコ機の裏面側の概略構成を説明する。パチンコ機（遊技機）の本体枠１１の裏面側上部には、パチンコ島の球補給通路（図示せず）からパチンコ球（遊技球）が補給される球タンク１３が設けられ、この球タンク１３には、そこから流れ出るパチンコ球を整列状態で流下させるタンクレール１４が接続されている。このタンクレール１４の下端には、球供給路１５が設けられ、この球供給路１５の下端部に、パチンコ球（賞球）を払い出す球払出装置１６が接続されている。この球払出装置１６から払い出されたパチンコ球は、球払出流路３２を通ってパチンコ機の前面側下部に配置された打球供給皿１８（図１及び図２参照）に排出される。
【００１２】
次に、図１及び図２に基づいてパチンコ機の前面側下部の構成について説明する。図１に示すように、パチンコ機の本体枠１１の前面側下部には、パチンコ球を貯溜する打球供給皿１８が１皿のみ設けられ、この打球供給皿１８の右方に、後述する球発射装置２０の発射操作ハンドル１９が設けられている。また、本体枠１１の左側下部には、打球供給皿１８から供給されるパチンコ球を発射する球発射装置２０が設けられている。
【００１３】
この球発射装置２０は、発射台２１の発射位置に受け止められたパチンコ球を打球槌２２で下方から打撃することで、そのパチンコ球を発射通路２３に沿ってほぼ鉛直上方（又は斜め上方）に打ち上げるようになっている。この球発射装置２０から発射されたパチンコ球は、遊技盤２４の内レール２５と外レール２６との間に形成された案内通路２７を通って遊技領域（図示せず）の上方に打ち込まれる。
【００１４】
また、発射通路２３の左右両側方には、それぞれ球発射装置２０から発射されたパチンコ球のうち遊技領域に到達できずに案内通路２７を逆戻りして落下する戻り球を受け入れる戻り球受入口２８が設けられ、この戻り球受入口２８内に落下した戻り球は、戻り球流路２９を通って球払出流路３２へ流下するようになっている。
【００１５】
図２に示すように、打球供給皿１８は、右側部にパチンコ球を貯溜する球貯溜部３３が設けられ、左側部に台間球貸機の貸球排出ノズル（図示せず）から流れ出るパチンコ球（貸球）を受ける球受け部３４が設けられている。球貯溜部３３は、底面が左方に向かって下り傾斜するように形成されていると共に、左側部分の流路幅が下流に向かうにつれて狭められている。この球貯溜部３３の最下流部に、パチンコ球を１列に整列させながら流下させる案内流路３５が接続され、この案内流路３５を流下したパチンコ球が、整流器等を介して球発射装置２０に供給されるようになっている。
【００１６】
図１に示すように、球貯溜部３３は、上流部の底面３３ａの傾斜角度が下流部の底面３３ｂの傾斜角度よりも少し急な傾斜角度になっている。更に、球貯溜部３３の上流部の底面３３ａの裏側（底壁の下面）には、振動部材３６が取り付けられ、この振動部材３６を振動させて上流部の底面３３ａを振動させるようにしている。これにより、球貯溜部３３内のパチンコ球の良好な球流れを確保しながら、球貯溜部３３の底面の上流部から下流部までを急な傾斜角度にした場合に比べて、球貯溜部３３の高さ寸法（高低差）を小さくできるようにしている。尚、球貯溜部３３の上流部の側壁等に振動部材を取り付けるようにしても良い。
【００１７】
図２に示すように、球貯溜部３３の底面の中央部には、球抜き口３７が形成され、この球抜き口３７に球抜き部材３８が設けられている。打球供給皿１８の前面等に設けた球抜き操作レバー（図示せず）を操作して、球抜き部材３８を開放位置へスライドさせて球抜き口３７を開放することで、球貯溜部３３内のパチンコ球を球抜き口３７から下方に抜き取ることができるようになっている。
【００１８】
また、球受け部３４は、底面が右側斜め前方に向かって緩やかに下り傾斜するように形成され、この球受け部３４の下流側に、右方に向かって下り傾斜する貸球流下路３９が形成されている。この貸球流下路３９は、前皿部３１の前面壁に沿って右方に延びるように形成されて、球貯溜部３３につながっている。
【００１９】
一方、球払出流路３２は、底面が右前方に向かって下り傾斜するように形成され、この球払出流路３２の下流部前方に、打球供給皿１８の球貯溜部３３の上流部に通じる連通口４０が設けられている。球払出装置１６から払い出されたパチンコ球（賞球）は、球払出流路３２内を流下した後、連通口４０を通って打球供給皿１８の球貯溜部３３内に流入する。
【００２０】
球払出流路３２の上流部（左端部）には、戻り球流路２９の排出口４２が設けられ、この戻り球流路２９の排出口４２の少し下流側に、戻り球の球流れを規制する戻り球規制壁４３（戻り球規制部材）が設けられている。この戻り球規制壁４３は、戻り球流路２９の排出口４２から球払出流路３２内に流入した戻り球を球払出流路３２の前側に案内するように斜め前方に延びるように形成されている。これにより、球払出流路３２内に流入したパチンコ球の球流れを妨げないように戻り球の球流れを規制するようになっている。
【００２１】
更に、戻り球流路２９の排出口４２の下流側には、満杯検出センサ４４（満杯検出手段）が配置されている。この満杯検出センサ４４は、球払出流路３２に揺動軸４５を介して揺動可能に支持された満杯検出レバー４６と、この満杯検出レバー４６によってオン／オフされるマイクロスイッチ等の検出スイッチ４７とで構成されている。
【００２２】
通常時（満杯検出レバー４６の検出面４６ａがパチンコ球に押圧されていないとき）は、検出スイッチ４７のアーム部４７ａの付勢力によって満杯検出レバー４６の検出面４６ａが球払出流路３２内に突出した状態に保持される。この状態では、満杯検出レバー４６が検出スイッチ４７のアーム部４７ａを押圧しないため、検出スイッチ４７がオフされている。
【００２３】
その後、満杯検出センサ４４の検出位置（つまり、満杯検出レバー４６の検出面４６ａ）までパチンコ球が貯溜されて、そのパチンコ球の圧力に満杯検出レバー４６の検出面４６ａが押されて、満杯検出レバー４６が後方に揺動すると、満杯検出レバー４６が検出スイッチ４７のアーム部４７ａを押圧するため、検出スイッチ４７がオンされる。
【００２４】
この満杯検出センサ４４や入賞球センサ（図示せず）等の出力信号は、パチンコ機の制御回路（図示せず）に入力される。パチンコ機の制御回路は、球発射装置２０から発射されたパチンコ球が入賞して賞球払出指令が発生したときに、その賞球払出指令に基づいて球払出装置１６の払出動作を制御して、賞球払出指令に応じた所定数のパチンコ球（賞球）を球払出装置１６から払い出す。
【００２５】
球払出装置１６から払い出されたパチンコ球は、球払出流路３２内に流入し、球払出流路３２内を流下した後、連通口４０を通って打球供給皿１８の球貯溜部３３内に流入する。また、球発射装置２０から発射されたパチンコ球のうち遊技領域に到達できずに逆戻りした戻り球は、戻り球流路２９を流下して排出口４２から球払出流路３２内に流入し、球払出流路３２内を流下した後、連通口４０を通って打球供給皿１８の球貯溜部３３内に流入する。
【００２６】
大当り等で球払出装置１６から多くのパチンコ球が連続的に払い出されて、打球供給皿１８の球貯溜部３３がパチンコ球で満杯になると、その後は、球払出流路３２内にパチンコ球が貯溜されていく。
【００２７】
その際、パチンコ機の制御回路は、球払出流路３２に配置された満杯検出センサ４４の検出位置までパチンコ球が貯溜されて満杯検出センサ４４がオンされたときに、球払出装置１６の払出動作を停止させる。その後、球払出流路３２内のパチンコ球の貯溜量が減少して満杯検出センサ４４がオフされたときに、球払出装置１６の払出動作を再開して、未払いのパチンコ球を払い出す。尚、満杯検出センサ４４のオフ状態が所定のオフ判定時間継続したときに、球払出装置１６の払出動作を再開するようにしても良い。
【００２８】
以上説明した本実施例では、戻り球流路２９の排出口４２よりも下流側に満杯検出センサ４４を配置したので、大当り等で球払出装置１６から多量のパチンコ球が払い出される場合に、パチンコ球の貯溜量が戻り球流路２９の排出口４２よりも下流側の満杯検出センサ４４の検出位置に到達した時点で球払出装置１６の払出動作を停止させることができ、球払出流路３２内に貯溜されたパチンコ球で戻り球流路２９の排出口４２が塞がれることを防止することができる。これにより、戻り球が多く発生しても、その戻り球を戻り球流路２９から球払出流路３２に回収することができ、戻り球流路２９の入口側（戻り球受入口２８）から戻り球が溢れることを未然に防止することができる。
【００２９】
尚、戻り球流路２９の排出口４２と満杯検出センサ４４の位置が非常に近い場合には、パチンコ球の貯溜量が満杯検出センサ４４の検出位置に到達する直前に、球払出装置１６から払い出されたパチンコ球で戻り球流路２９の排出口４２が塞がれる可能性があるが、球払出装置１６の払出動作停止中は、もし、球発射装置２０から発射されたパチンコ球が全て戻り球になったとしても、パチンコ球の貯溜量は変化しない（球発射装置２０から発射されて減少した分が戻り球となって増加するだけである）ため、戻り球流路２９内に戻り球が溜まることがなく、戻り球流路２９の入口側から戻り球が溢れることを防止することができる。
【００３０】
ところで、打球供給皿１８内にパチンコ球がほどんど無いときには、球払出流路３２へ流入するパチンコ球（球払出装置１６から払い出されたパチンコ球）を速やかに流下させて球発射装置２０に供給する必要があるが、戻り球流路２９の排出口４２から球払出流路３２へ流入する戻り球によって、球払出流路３２へ流入するパチンコ球の球流れが妨げられてパチンコ球の球流れが乱れると、それらのパチンコ球が球発射装置２０へ流下するまでの時間が長くなって、球発射装置２０によるパチンコ球の発射が途切れてしまう可能性がある。
【００３１】
この対策として、本実施例では、戻り球流路２９の排出口４２付近に、戻り球の球流れを規制する戻り球規制壁４３を設けて、この戻り球規制壁４３によって、球払出流路３２内に流入したパチンコ球の球流れを妨げないように戻り球の球流れを規制するようにしたので、球払出流路３２へ流入するパチンコ球（球払出装置１６から払い出されたパチンコ球）を速やかに流下させることができ、打球供給皿１８内にパチンコ球がほどんど無いときに、球発射装置２０によるパチンコ球の発射が途切れることを防止することができる。
【００３２】
尚、上記実施例では、戻り球流路２９を前面パネル３０の後方に配置された球払出流路３２に接続する構成としたが、戻り球流路２９をそれよりも上流側の球払出流路（球払出装置１６の下方近傍の球払出流路）に接続し、その戻り球流路２９の排出口よりも下流側に満杯検出センサ４４を配置した構成としても良い。
【００３３】
また、上記実施例では、球皿（打球供給皿１８）を１皿のみ設けたパチンコ機に本発明を適用したが、従来の２皿構成のパチンコ機に本発明を適用して、球払出装置から払い出されたパチンコ球を上皿（打球供給皿）へ流下させる球払出流路に戻り球流路を接続し、その戻り球流路の排出口よりも下流側に満杯検出センサを配置した構成としても良い。この場合、球払出流路や上皿に満杯検出センサを配置しても良いが、上皿が満杯になったときに上皿に供給されるパチンコ球を下皿へ流下させるオーバーフロー通路や下皿に満杯検出センサを配置するようにしても良い。
【００３４】
また、上記実施例では、本体枠１１の左側下部に球発射装置２０を配置した構成のパチンコ機に本発明を適用したが、これに限定されず、本体枠の中央下部や右側下部に球発射装置を配置してパチンコ球を斜め上方に打ち上げる構成のパチンコ機に本発明を適用しても良い。
【００３５】
また、本発明の適用範囲は、一般のパチンコ機に限定されず、例えばアレンジ式のパチンコ機等、種々の遊技機に本発明を適用しても良い。
【図面の簡単な説明】
【００３６】
【図１】本発明の一実施例におけるパチンコ機の前面側下部の一部破断正面図である。
【図２】パチンコ機の前面側下部の横断面図である。
【図３】パチンコ機の裏面図である。
【符号の説明】
【００３７】
１１…本体枠、１６…球払出装置、１８…打球供給皿、２０…球発射装置、２８…戻り球受入口、２９…戻り球流路、３２…球払出流路、３３…球貯溜部、４２…排出口、４３…戻り球規制壁、４４…満杯検出センサ（満杯検出手段）、４６…満杯検出レバー、４７…検出スイッチ
【図１】
2007044120.tif 000003
【図２】
2007044120.tif 000004
【図３】
2007044120.tif 000005